(57)【要約】発明は患者の眼に外部から配置することができる眼用超小型基準デバイスに関する。基準デバイスは画像化システムで見ることができ、外科手術でアクセスされている解剖学的構造の内部位置に対する外部基準点となる。発明は超小型基準デバイスの患者の眼に対して装着したり、取り外したりするための器具及び方法も含む。
2005520666.tif 000002
【特許請求の範囲】
【請求項１】
眼内組織への外科的介入に対して眼の表面上に基準点を確立するために画像化とともに用いるための眼用超小型基準デバイスにおいて、コントラストターゲットを有することを特徴とする超小型基準デバイス。
【請求項２】
前記コントラストターゲットが、金属、高分子材またはセラミック材料を含むことを特徴とする請求項１に記載の超小型基準デバイス。
【請求項３】
前記金属が、金、鋼またはニッケル−チタン合金を含むことを特徴とする請求項２に記載の超小型基準デバイス。
【請求項４】
ヘッド部及びスパイク部を有することを特徴とする請求項２に記載の超小型基準デバイス。
【請求項５】
スパイク部を有することを特徴とする請求項２に記載の超小型基準デバイス。
【請求項６】
前記ヘッド部が、球状、円板状、半球状または多角形状であることを特徴とする請求項４に記載の超小型基準デバイス。
【請求項７】
前記スパイク部がテーパ付円錐状のチップまたは多面体状のチップであることを特徴とする請求項４に記載の超小型基準デバイス。
【請求項８】
前記ヘッド部及び前記スパイク部のそれぞれの材料が相異なることを特徴とする請求項４に記載の超小型基準デバイス。
【請求項９】
前記ヘッド部の直径が５０μｍと５００μｍの間にあることを特徴とする請求項４に記載の超小型基準デバイス。
【請求項１０】
前記ヘッド部の直径が５０μｍと１５０μｍの間にあることを特徴とする請求項４に記載の超小型基準デバイス。
【請求項１１】
前記スパイク部の直径または断面長軸が５０μｍと２５０μｍの間にあることを特徴とする請求項４に記載の超小型基準デバイス。
【請求項１２】
前記スパイク部の長さが５０μｍと７５０μｍの間にあることを特徴とする請求項４に記載の超小型基準デバイス。
【請求項１３】
眼の表面上に直接配置され、接着性、粘稠性または粘着性のある物質を用いて保持されるコントラストターゲットを有することを特徴とする請求項１に記載の超小型基準デバイス。
【請求項１４】
前記コントラストターゲットが空気またはガスを含むことを特徴とする請求項１に記載の超小型基準デバイス。
【請求項１５】
前記コントラストターゲットが金属を含むことを特徴とする請求項１に記載の超小型基準デバイス。
【請求項１６】
前記コントラストターゲットが光吸収性材料を含むことを特徴とする請求項１に記載の超小型基準デバイス。
【請求項１７】
前記コントラストターゲットが眼の組織とは異なる光吸収特性をもつ材料を含むことを特徴とする請求項１６に記載の超小型基準デバイス。
【請求項１８】
前記コントラストターゲットが、ロッド、円錐、チューブ、円板、多角形または球形の形をしていることを特徴とする請求項１３に記載の超小型基準デバイス。
【請求項１９】
前記コントラストターゲットの短軸または直径が３０μｍと３００μｍの間にあることを特徴とする請求項１３に記載の超小型基準デバイス。
【請求項２０】
前記コントラストターゲットが、接着性材料を用いて眼に直接接着されることを特徴とする請求項１３に記載の超小型基準デバイス。
【請求項２１】
前記コントラストターゲットが担体として作用している薄い材料片内に入れられていることを特徴とする請求項１３に記載の超小型基準デバイス。
【請求項２２】
前記担体材料が、接着性材料を用いて眼に直接接着されることを特徴とする請求項２１に記載の超小型基準デバイス。
【請求項２３】
前記担体材料が眼の表面に対して粘着性のあるヒドロゲルであることを特徴とする請求項２１に記載の超小型基準デバイス。
【請求項２４】
前記デバイスが２つまたはそれより多くのコントラストターゲットを有することを特徴とする請求項１３に記載の超小型基準デバイス。
【請求項２５】
眼の表面または内部に請求項１に記載の超小型基準デバイスを配置するための装置において、遠端及び近端をもつチューブ様本体を備えることを特徴とする装置。
【請求項２６】
前記遠端が吸引具を有することを特徴とする請求項２５に記載の装置。
【請求項２７】
前記遠端が掴み具を有することを特徴とする請求項２５に記載の装置。
【請求項２８】
眼の表面上または表面内に配置される、画像化可能な超小型基準デバイスを使用して、内部の手術標的のための安定した共通の基準点を提供することによって、眼の前部における解剖学的特徴の位置を特定する方法。
【請求項２９】
前記超小型基準デバイス及び眼の内部組織の前記画像化は、前記内部手術標的への侵襲性の外科的アクセスを最小限に抑えるのに最適な外部領域の位置を特定するために用いられることを特徴とする請求項２８に記載の方法。
【請求項３０】
前記手術標的が、眼の、シュレム管、小柱網、デスメー膜または毛様体を含むことを特徴とする請求項２９に記載の方法。
【発明の詳細な説明】
【技術分野】
【０００１】
本発明は患者の眼に外部から配置できる眼用超小型基準デバイスに関する。本基準デバイスは画像化システムで見ることができ、外科的にアクセスされる解剖学的構造の内部位置に対する外部基準点となる。
【背景技術】
【０００２】
緑内障は、眼の前部で生成される房水の排液機構が阻害されることによって眼内圧（ＩＯＰ）が上昇する眼の疾患状態である。そのような状態は通常、点眼液の形態の局所薬により処置されるが、薬剤処置の効果がなくなるかまたは患者の服薬遵守に問題がある場合には、外科処置に至り得る。線維柱帯切開術として知られる、伝統的な緑内障の手術は眼の切開及び排液経路の小柱網部を貫通する新しい穴の形成を伴う。短期間では有効であるが、そのような処置の長期追跡調査では眼内圧の著しい上昇が見られ、したがって成功率が低い。この処置では、時間の経過とともに、感染などの外科合併症もある。
【０００３】
眼の緑内障に対して近年開発された外科処置は、排液システムに注目し、強膜内切開による手法がとられる。このような処置は、角膜及び視線構造を通る組織へのアクセスが行なわれないから、“非貫入”処置として知られる。ビスコカナロストミー及び深部強膜切除は２つのそのような処置である。これらの外科処置も、伝統的な緑内障処置も、高解像度画像化及び、合併症が少なくなり反復性が高まる処置を提供するための、最小侵襲性手技の併用により、能力を向上させることができる。
【０００４】
主として眼の前部の、眼の微細構造を画像化するために、現在、２通りの高解像度画像化様式が用いられている。高周波超音波法（ＨＦＵ）及び光コヒーレント断層撮影法（ＯＣＴ）は、眼の排液システムの診断、外科処置及び術後追跡調査のための詳細な解剖学的情報を提供できる画像化手法である。特に、前方隅角からの径方向距離及び眼の表面からの管の及び深さに関し、シュレム管の精確な位置を求めることができる。しかし、外部から見られる解剖学的マーカーを目標組織の精確な内部位置と関係づけることは困難であるから、外科的介入を行う場合は、管にアクセスするために中度に大きな切開を行う必要が依然としてある。
【０００５】
[既知の従来技術]
国際公開第０１/１０３２４号パンフレット、「脊椎用基準インプラント及び方法」
国際公開第０１/１０３０２号パンフレット、「生物分解性脊椎用基準インプラント及び方法」
国際公開第９９/２６５４０号パンフレット、「外科用テンプレート集成体並びに歯科インプラントを穴開け及び装着するための方法」
米国特許第６０９６０４８号明細書、「非侵襲性で再取付け可能な頭蓋用基準マーカーシステム」
【発明の開示】
【発明が解決しようとする課題】
【０００６】
画像化システムにより見ることができ、外科用顕微鏡でも見ることができて、手術でアクセスされている解剖学的構造の内部位置に対する外部基準点となる、患者の眼に外部から配置できる眼用超小型基準デバイスを提供する。
【課題を解決するための手段】
【０００７】
本発明は、手術前または手術中の画像から手術標的を特定するための安定した基準点を提供するために用いられる眼用超小型基準デバイスを含む。本デバイスは、眼の表面に配置されるか、または眼球内空間に貫入せずに強膜に挿入されるように設計され、手術後に安全に取り外すことができる。本デバイスは超音波及び／または光手段により画像化することができる材料で形成される。本発明はさらに、上記デバイスを組織に精確に配置するため及び手術後にデバイスを回収するために用いられるべき超小型基準デバイス取扱器具を含む。
【発明を実施するための最良の形態】
【０００８】
図１に示される一実施形態において、超小型基準デバイス１はテーパ状のスパイク部２及び球形または半球形のヘッド部３の形態にある。スパイク部は、図２に示されるようなテーパ付チップ４、あるいは図３及び４に示されるような多面体状のチップ５ａ，５ｂの形状にあるスパイクからなることができ、強膜組織内への容易な刺入を可能にするに十分に鋭利である。スパイク部は、長さが２５０〜７５０μｍ程度であり、最大直径またはコード長が５０〜２００μｍ程度であることが好ましい。スパイク部は強膜への十分な固定を提供するに十分に長くはあるが、眼の内膜に貫入するほど長くはないことが好ましい。スパイク部は、ステンレス鋼、ニチノール、タングステン、高分子材またはセラミックなどの材料で構成されていてもよい。球状部の直径は５０〜２５０μｍであることが好ましい。ヘッド部は、超音波画像化の下で高視感度のコントラストターゲットとするために、ステンレス鋼、ニチノール、タングステン、金、銀または白金で構成されていてもよい。光画像化の場合、コントラストターゲットは目標組織とは異なる光吸収特性をもつ材料で構成される。コントラストターゲット材料は、光学特性が異なる材料、組織とのコントラストが高いために選ばれる染料、または高分子材のような材料に取り入れられた染料とすることができる。また、本デバイスは、眼の表面上を通過する磁石を用いて回収が達成され得るように、一部または全体が磁性材料で構成されていてもよい。本超小型基準デバイスは、画像化中の内部組織の障害となるすなわち内部組織を遮ることを最小限に抑えて、眼の内部構造の相対距離の指標となるための、高精度の小さなコントラストターゲットを提供することが好ましい。
【０００９】
図２に示される別の実施形態において、超小型基準デバイスは、ヘッド部が鋲または釘と同様の平らな円板６の形態であることを除き、上記の実施形態と等価である。円板部は厚さが２５〜１００μｍ程度であり、直径が５０〜２５０μｍ程度であることが好ましい。半球形、多角形、矢形等といった、他の形状を用いることができる。
【００１０】
別の実施形態において、本デバイスは、例えば図３及び４に示されるように、スパイク部だけからなる。スパイクだけのデバイスの態様は、第１の実施形態のスパイク部で上に説明した通りである。
【００１１】
別の実施形態において、スパイク部またはヘッド部は近端に取り付けられた糸部またはワイア部を有することもできる。この糸部は、運搬システムにデバイスを保持する際の補助のためにも、機械的手段または手作業による回収を容易化するために、組み込むことができる。糸またはワイアは、糸が移植中に用いられ、次いで糸が画像化の前に取り外されて画像化結果に干渉しないように、切離し可能な繋ぎ目をさらに有することができる。そのような切離し可能な繋ぎ目は、ある大きさの張力だけに耐え、次いで、糸と超小型基準デバイスの間の接合が壊れるように設計された接着剤からなることができる。別の実施形態において、繋ぎ目は電解手段により切離し可能としてもよい。
【００１２】
図５に示される本発明の別の実施形態は、超音波及び／または光手段により画像化され得る材料を有するコントラストターゲットを組み込み、好ましくは接着剤により眼の表面に確実に配置され得る。この場合の超小型基準デバイス７は、超音波画像化のためのガスまたは光画像化のための染料のようなコントラスト材を入れている、微小管部８のようなハウジング内の１つまたはそれより多くのスペースを有することができる。あるいは、ハウジング材料は、超音波画像化のための空気またはガスの小さな泡、または光画像化のための染料など、多くの高コントラストターゲットを組み込んだ気泡材料からなることができる。ハウジングは、医用級アクリル接着剤のような触圧接着剤を用いるか、あるいはゼラチンまたはヒドロゲルのような軟質で粘着性の材料に封入されることにより、眼の表面に直接接着することができる。あるいは、同様の態様で眼に接着する小さな高分子材ストリップ９にコントラストターゲット材料を組み込むことができる。一実施形態において、内部組織部位の三次元空間内での基準決めを補助するために単一の高分子ストリップ上に２つまたはそれより多くのコントラストターゲットを取り入れることができる。金または鋼のような高反射性材料の小ターゲットを表面マーカーまたはコントラストターゲットとして用いることもできる。そのようなデバイスは、ロッド、チューブ、円板の形態または必要に応じてその他の形状をとることができる。本デバイスは、画像化手段の接近または外科処置の妨げにならないように、眼の表面上で扁平形状を維持する。
【００１３】
本発明の別の態様は、超小型基準デバイスの配置及び回収に必要な器具に関する。超小型基準デバイスを容易に移植するために設計された器具は回収機構を組み込むこともでき、あるいは移植器具と回収器具を別々にすることができる。回収器具は使い捨てのまたは再使用可能な器具とすることができる。
【００１４】
配置器具１０は、取扱い及び機械的作動のための単純なチューブ構造の近端及び超小型基準デバイスの操作のための遠端チップからなることができる。一実施形態において、操作チップは、吸引がチューブを通して与えられる、吸引カップとすることができる。吸引チップは、ヘッド／スパイクデバイス構成における球形または円板形移植体ヘッドの保持に特に適する。操作チップは、図６〜８に示されるように、湾曲した指様の部材として構成された３本または４本のピン１１ａを有することができる。チューブに引き込まれると、ピンは、超小型基準デバイス１１ｃのヘッドまたは近端を掴みながら、径方向内側に締め付けられる（１１ｂ）。展開されると、ピンは超小型基準デバイスを解放する。そのような構成は配置及び回収のいずれにも用いることができる。
【００１５】
別の実施形態において、配置器具は、糸部またはワイア部をもつ超小型基準デバイスを送り出すことができる簡素なチューブである。デバイスは、糸部がチューブを通して配されて、近端より先に伸び出すように、チューブ内に装填される。糸を張力下に維持すれば、器具の遠端チップにデバイスが確実に固定されるであろう。スパイク部を組織に挿入することによりデバイス配置が行なわれ、糸がチューブから外されて、チューブは捨てられる。糸は、術後にデバイスを取り外すために用いることができる。
【００１６】
使用において、超小型基準デバイスは、視覚縁（外部から見える角膜と強膜の間の接合部）から径方向で外側にほぼ２〜３ｍｍにおいて眼の表面上または表面内に配置される。眼をスキャンして、シュレム管、小柱網、デスメ膜、毛様体及び前方隅角のような、前眼房の解剖学的構造の精確な位置を決定するために、所望の画像化様式が用いられる。超小型基準デバイスの画像の位置が手術標的の位置の基準とされる。画像化中及び画像化後、侵襲性の外科的接近を最小限に抑えて標的にアクセスするための基準点を与える明瞭な外部マーカーが手術医に与えられる。２つまたはそれより多くの超小型基準デバイスを特定の組織領域の位置を突き止めるために用いることができる。手術標的が突き止められた後は、超小型基準デバイスを取り除くことができる。
【００１７】
１つより多くの超小型基準デバイスを、誘導外科介入のための三角測量座標を与えるために用いることができる。複数のマーカー付けには、同じ形式の超小型基準デバイスの使用または上に詳述した２つまたはそれより多くの形式の併用が必要となり得る。複数のマーカーは、眼の様々な構造の三次元の解剖学的位置を示すために極座標を用いる場合に有利である。
【実施例１】
【００１８】
超小型基準デバイスを作成し、摘出後のヒトの眼で試験した。ほぼ６０ＭＨｚの中心周波数で動作する高周波超音波スキャンシステムを用いて撮像した。様々な材料から様々な大きさの超小型基準デバイスを作成した。視覚縁から径方向で外側にほぼ２〜３ｍｍにおいて、試験組織の強膜内に超小型基準デバイスを手で配置した。それぞれのデバイスについて、超小型基準デバイス及び眼の前方隅角の下部組織を示す画像を記録した。
【００１９】
第１の組の超小型基準デバイスを、スパイクチップに接着剤で接合した金球で構成した。直径が１及び２ミル（１０００分の１及び２インチ（２５.４及び５０.８μｍ））の金線をブタンの炎に入れて金を溶融し、球形のボールにした。寸法が３７０から４００μｍの範囲の球を作成した。取扱を容易にするため、短い金線を球に付けたままにした。スパイク部を作成するため眼用縫合針を用いた。ステンレス鋼の針の遠端０.５ｍｍをフラッシュワイア切断シャーを用いて取り除いた。近端の切断面を微細サファイア砥石を用いてホーニングして平坦にした。テーパポイント及びサイドカットランセットポイントの、２つのタイプの針を用いた。テーパポイント針の直径は１００μｍであり、ランセットポイントは長軸上で１４０μｍであった。強化シアノアクリレートセメントを用いて金球をスパイクに接着した。球を取り付けずにステンレス鋼スパイク部だけを用いて別の一組の超小型基準デバイスを作成した。
【００２０】
また別の一組の超小型基準デバイスをニッケル−チタン（ニチノール）超弾性ワイアから作成した。出発材料は“線引きされたまま”の状態であり、直径はほぼ１００μｍ（０.００４インチ）であった。４インチ（約１０ｃｍ）のワイアを固定台上で処理してワイアを真直にした。ワイアを５００℃で５分間加熱し、次いで冷水で急冷した。得られた超弾性ワイアをスパイク部の作成に用いた。ワイア端を微細カーボランダム研削砥石を用いて慎重に研磨してテーパ付チップにした。チップの遠端０.５ｍｍを切り離し、上述した縫合針と同様の態様でホーニングした。上述の例と同様に、金球付及び金球無しのデバイスを作成した。
【００２１】
金球だけを用いて超小型基準デバイスを作成した。直径が７０μｍの金球を作成した。球にはスパイクを取り付けず、デバイスを取り扱うことができるように短いワイアを取り付けたままにした。
【００２２】
高周波超音波スキャナを用いて４つの超小型基準デバイスを画像化した。スパイクだけの構成及び球構成の両方を試験した。スパイク試験試料は（ランセットチップ針からの）ステンレス鋼スパイク１つ及びニチノールテーパポイントスパイク１つで構成した。別の試験試料は、４００μｍ金球＋ランセットチップスパイク及び、強膜の表面上に配置する７０μｍ金球で構成した。超小型基準デバイスはいずれも超音波画像化の下で撮像できた。植え込んだスパイクを適切なスキャン条件の下で撮像することができ、それぞれのデバイスの遠端チップは強膜の内表面で十分に明瞭であった。画像は、超小型基準デバイスの位置も、眼の前方隅角の下部組織構造も示した。
【００２３】
別の実験において、表面接着超小型基準デバイスを作成し、撮像した。２つのタイプの超小型基準デバイスを作成した。直径０.００１インチ（２５.４μｍ）×長さ２ｍｍの金線及びＩＤ（内径）０.００４５インチ（約０.１１４ｍｍ）×ＯＤ（外径）０.００５６インチ（約０.１４２ｍｍ）のポリイミドチューブ被覆を用いた。ポリイミドチューブ被覆金線をほぼ２ｍｍの長さに切断し、末端をシアノアクリレート接着剤で封じた。超小型基準デバイスを２５０ブルーム（Bloom）ゼラチンの５％溶液数滴内に入れ、テフロン（登録商標）プレート上で乾燥した。超小型基準デバイスが入っている乾燥ゼラチンフィルムをプレートから取り外し、ほぼ長方形にトリミングした。摘出されたヒトの目を超音波画像化のために液体で満たしたカップ内に入れた。デバイスの数例を角膜輪部から離れた強膜表面上に手で配置した。超小型基準デバイスを撮像することができ、眼の表面上の高コントラストターゲットが明示されると同時に、前方隅角近傍の眼の下部組織も画像化できた。
【図面の簡単な説明】
【００２４】
【図１】球状のヘッド及びテーパ付スパイクを有する、超小型基準デバイスの第１の実施形態を示す
【図２】円板状のヘッド及びテーパ付スパイクを有する、超小型基準デバイスの第２の実施形態を示す
【図３】鑿形スパイクからなる、超小型基準デバイスの第３の実施形態を示す
【図４】多面体状のスパイクからなる、超小型基準デバイスの第４の実施形態を示す
【図５】画像コントラスト強化剤を入れた管状部を有する、超小型基準デバイスの第５の実施形態を示す
【図６】超小型基準デバイスを患者の眼に対して装着したり、取り外したりするための器具を示す
【図７】超小型基準デバイスを患者の眼に対して装着したり、取り外したりするための器具を示す
【図８】超小型基準デバイスを患者の眼に対して装着したり、取り外したりするための器具を示す
【符号の説明】
【００２５】
１，７    超小型基準デバイス
【図１】
2005520666.tif 000003
【図２】
2005520666.tif 000004
【図３】
2005520666.tif 000005
【図４】
2005520666.tif 000006
【図５】
2005520666.tif 000007
【図６】
2005520666.tif 000008
【図７】
2005520666.tif 000009
【図８】
2005520666.tif 000010
【国際調査報告】
2005520666.tif 000011
2005520666.tif 000012
2005520666.tif 000013
2005520666.tif 000014